(57)【要約】【課題】  信号符号／復号部の有効利用を可能として、信号処理リソースの無駄をなくすようにした基地局装置を提供する。【解決手段】  上り回線／下り回線の無線リソースの配分状態に応じて、信号符号／復号部４１１における符号機能／復号機能の割当て状態を動的に行うことにより、従来は固定されていた符号部／復号部の片方の割当て数が上限に達した時点で、それ以上の割当ては不可となる制約を回避し、信号符号／復号部を極力有効利用できるようにする【選択図】      図３                                                  
2005318135.tif 000002
【特許請求の範囲】
【請求項１】
無線回線に対する信号の符号機能及び復号機能を有する通信装置における符号／復号制御システムであって、前記符号機能及び復号機能を有する複数の符号／復号部と、前記無線回線の無線リソース配分状態に応じて前記符号／復号部の各々の機能を動的に選択制御する制御部とを含むことを特徴とする符号／復号制御システム。
【請求項２】
前記制御部は、前記無線リソースにおけるデータ転送レートに応じて、前記符号／復号部の各々の機能の選択制御をなすことを特徴とする請求項１記載の符号／復号機能制御システム。
【請求項３】
前記制御部は、上り回線に比較して下り回線のデータ転送レートが大なる場合、前記符号／復号部の符号機能を、復号機能より多く選択するようにしたことを特徴とする請求項２記載の符号／復号機能制御システム。
【請求項４】
移動通信端末と無線回線にて接続される基地局装置であって、無線回線に対する信号の符号機能及び復号機能を有する複数の符号／復号部と、前記無線回線の無線リソース配分状態に応じて前記符号／復号部の各々の機能を動的に選択制御する制御部とを含むことを特徴とする基地局装置。
【請求項５】
前記制御部は、前記無線リソースにおけるデータ転送レートに応じて、前記符号／復号部の各々の機能の選択制御をなすことを特徴とする請求項４記載の基地局装置。
【請求項６】
前記制御部は、上り回線に比較して下り回線のデータ転送レートが大なる場合、前記符号／復号部の符号機能を、復号機能より多く選択するようにしたことを特徴とする請求項５記載の基地局装置。
【請求項７】
Ｗ−ＣＤＭＡ移動通信システムに用いられることを特徴とする請求項４〜６いずれか記載の基地局装置。
【発明の詳細な説明】
【技術分野】
【０００１】
本発明は符号／復号機能制御システム及びそれを用いた基地局装置に関し、特にＷ−ＣＤＭＡ移動通信システムにおける基地局装置での信号符号／復号機能の切替制御方式に関するものである。
【背景技術】
【０００２】
移動通信システムにおいて、パケット通信トラヒックの比重が高まっており、これに伴い、上り回線／下り回線の無線リソース（ユーザデータを伝送するために必要となる無線資源）において、下り方向のデータ量が上り方向に比べ大きくなる傾向が高まってきた。また、現在稼動中のＷ−ＣＤＭＡ（Wideband-Code Division Multiple Access）システムにおいては、ＨＳＤＰＡ（High Speed Downlink Packet Access ）方式の導入が近年中に予定されており、これにより、パケット通信においては、下り回線を複数の移動局で共有する専用の物理チャネルが割当てられることにより、従来の個別チャネルは、下り回線の無線リソースが上り方向に比べ小さくなることが予想される。
【０００３】
更に、上述のＨＳＤＰＡ適応の有無は、設置される基地局装置の状況により異なり、それによりユーザトラヒックの傾向も異なることから、基地局装置を共通設計する上では、上り回線／下り回線の無線リソースに応じた信号処理リソースを、固定的に割り当てるのではなく、柔軟に切り替えることができる方式が望まれる。
【０００４】
更に述べると、従来は音声通信が中心であり、上り／下りのデータ伝送レートは同一であったが、最近はデータ通信が主流になってきている。また、ｉモード（登録商標）に代表されるＷｅｂ通信においては、ダウンロードによる下り方向のデータ量が上り方向に比べ、大きくなっている。更に、上記のＨＳＤＰＡ方式の導入により、パケット通信における下り信号はＨＳＤＰＡ専用の物理チャネルに割り当てられることで、個別チャネルの信号量としては、逆に上り信号の方が大きくなることも考えられる。
【０００５】
しかしながら、この比率は、音声／パケット通信の呼の比率、及びパケット通信の内容（電子メール、Ｗｅｂ通信等）によって異なるため、定量化が難しい。従って、上り方向と下り方向の信号処理リソースを固定的に有する方式では、比率の変動に対しリソースを有効に割り当てることができないことから、余りが生じることになり、インフラストラクチャである施設規模を大きくする必要が出てくることにより、よって、信号処理リソースを有効利用する方式が望まれるのである。
【０００６】
ここで、図４を参照すると、Ｗ−ＣＤＭＡ移動通信システムのシステム構成を簡易的に示したものである。基地局装置１から送信する下り無線電波ＤＬ１，ＤＬ２を移動通信端末である移動機２，３が、セル４内にて受信可能であり、逆に移動機２，３が送信する上り無線電波ＵＬ１，ＵＬ２を基地局装置１が受信することで、双方向の通信が可能となる。実際には、セル４内に移動機は多数存在し、また、隣接するサービスエリアが境界をまたぐ形で接することで、多数のサービスエリアを合わせ広い範囲で多数の移動機による移動通信サービスが提供可能となっている。
【０００７】
図５は、基地局装置１における機能ブロックの構成と信号の流れを示したものである。無線側（移動機側）より受信された上り無線信号は、無線送受信増幅部７０により増幅され無線送受信部６０にて量子化されて、第２スイッチ部５０を経由して信号処理部４０へ送られる。
【０００８】
信号処理部４０において、量子化された無線信号より所望の信号が抽出されて復号化処理が行われた後、所定の形式で第１スイッチ部２０を経由して、伝送路インタフェース部１０より有線信号に変換され、有線側（ネットワーク側）へ送信される。
【０００９】
逆に、有線側より受信された下り有線信号は、伝送路インタフェース部１０にて装置内部信号に変換され、第１スイッチ部２０を経由して信号処理部４０へ入力される。信号処理部４０において符号化処理が行われ、第２スイッチ部５０を経由して無線送受信部６０にて拡散処理がなされた後、無線送受信増幅部７０にて信号増幅され、無線信号として送信される。
【００１０】
図５の信号処理部４０，４１，４２及び無線送受信部６０，６１，６２は、基地局の収容トラヒック量に応じて複数の実装が可能であり、いずれを使用するかの選択情報および信号経路の選択情報は、中央制御部３０より各機能ブロックへ設定される。
【００１１】
図６は信号処理部４０，４１，４２における従来の機能ブロックを示したものである。無線側（５０）からの上り量子化信号より、パス検出部４０６において受信信号のパスタイミングの検出及び複数パス信号のレイク合成が行われ、受信信号復号部４０４にて誤り訂正復号化が行われて受信データが生成される。そして、有線信号送信部４０１にて送信データが所定のフォーマットへ載せ込まれ有線側へ送信される。また、有線側（２０）からの下り信号は、有線信号受信部４０２にて送信データが抜き出され、送信信号符号部４０５にて誤り訂正符号化が行われて無線側（５０）へ送信される。
【００１２】
図７は受信信号復号部４０４及び送信信号符号部４０５の構成を示したものである。それぞれ内部に、複数個の復号部及び符号部（＃１〜＃ｋとして示す）を有する。これら複数個の復号部及び符号部の割当てと解放とは独立しており、制御部４０３の指示により行われる。また、ユーザデータの伝送レートに応じた数の割り当て、解放が行われる。
【００１３】
このように、符号部と復号部とが物理的に独立しているため、いずれか一方の割当て数が上限に達した時点で、割当ては不可能となるので、符号部または復号部に余りが生じてしまう。図８はその一例を示している。例えば、３ユーザ（＃１〜＃３とする）が割り当てられており、ユーザ＃１が１個の符号部、１個の復号部、ユーザ２が２個の符号部、１個の復号部、ユーザ３が３個の符号部、１個の復号部を使用する状態を示している。この時点で、受信信号符号部４０５では、符号部に空きがないことから、復号部の余り３個に対して、新たに割当てが不可能となり、信号処理リソースであるハードウェア資源の無駄が発生するのである。なお、図８に示したユーザ毎の信号の分配や合成は、時分割方式によりなされる。
【００１４】
なお、特許文献１を参照すると、信号の符号及び復号の両機能を一つのハードウェアに内蔵して、必要に応じてこれら機能を選択して使用する構成が開示されている。
【特許文献１】特開平２０００−２９５３０９号公報
【発明の開示】
【発明が解決しようとする課題】
【００１５】
図５〜図８に示した従来の基地局装置の構成では、上述したように、符号部や復号部における無駄が生じて、信号処理リソースの有効活用が不可能となるという問題がある。また、特許文献１では、単一の符号／復号装置について、システム変更に柔軟に対応可能とした技術であり、無線回線における無線リソースに応じた信号処理リソースの有効活用を図るために、それをどのように使用するかは、全く言及されていない。
【００１６】
本発明の目的は、信号符号／復号部の有効利用を可能として、信号処理リソースの無駄をなくすようにした符号／復号制御システム及びそれを用いた基地局装置を提供することである。
【課題を解決するための手段】
【００１７】
本発明による符号／復号制御システムは、無線回線に対する信号の符号機能及び復号機能を有する通信装置における符号／復号制御システムであって、前記符号機能及び復号機能を有する複数の符号／復号部と、前記無線回線の無線リソース配分状態に応じて前記符号／復号部の各々の機能を動的に選択制御する制御部とを含むことを特徴とする。
【００１８】
本発明による基地局装置は、移動通信端末と無線回線にて接続される基地局装置であって、無線回線に対する信号の符号機能及び復号機能を有する複数の符号／復号部と、前記無線回線の無線リソース配分状態に応じて前記符号／復号部の各々の機能を動的に選択制御する制御部とを含むことを特徴とする。
【００１９】
本発明の作用を述べる。上り回線／下り回線の無線リソースの配分状態に応じて、信号符号／復号部における符号機能／復号機能の割当て状態を動的に行うことにより、従来は固定されていた符号部／復号部の片方の割当て数が上限に達した時点で、それ以上の割当ては不可となる制約を回避し、信号符号／復号部を極力有効利用できるようにするものである。
【発明の効果】
【００２０】
符号化／復号化いずれの機能を選択可能な符号／復号部を、複数個設けることにより、上り／下り回線におけるデータ伝送レートが非対称となることによる符号／復号部の使用数の不均衡を意識することなく、符号／復号部を上限数まで利用可能となり、結果として、信号処理リソースの有効利用が図れるという効果がある。
【発明を実施するための最良の形態】
【００２１】
以下に、本発明の実施の形態について図面を参照しつつ説明する。図１は本発明の実施の形態のブロック図であり、図６と同等部分は同一符号にて示している。本実施の形態においても、図４のシステム構成が適用され、また基地局装置１の概略機能ブロックは、図５のそれと同一であるものとする。
【００２２】
図１において、本発明の実施の形態による信号処理部４０は、図６における従来例の信号処理部における受信信号復号部４０４と送信信号符号部４０５とを、信号符号／復号部４１１として、一つにまとめたものである。そして、制御部４０３の制御により、信号符号／復号部４１１の切替を行う切替部４１０を設けている。他の構成は図６の例と同等である。なお、図１の信号処理部４０は、他の信号処理部４１，４２にも同様に適用されるものとする。
【００２３】
この信号符号／復号部４１１は、図２にその詳細構成を示すように、符号／復号の両機能を有し、これら機能の一つが選択可能な符号／復号部を複数個（＃１〜＃ｋで示す）並列に設けて構成されている。制御部４０３により、割当て／解放、また伝送レートに応じた符号部／復号部の数を指示し、指示を受けた切替部４１０は、信号符号／復号部４１１に対して割当て／解放の対象となる符／復号部、及び符号／復号の機能選択を指示する。
【００２４】
かかる構成において、図８に示した割当て状況と同様の割当て状態が生じた場合を、図３に示している。余りの３個の符号／復号部（＃１０〜＃１２）を、新たなユーザに対して割当てることが可能となることが分かる。
【００２５】
図３に示したように、符号／復号いずれかの処理機能を選択可能な符号／復号部を、複数個設けることにより、上り／下りデータの伝送レートが非対称となることによる符号／復号部の使用数の不均衡を意識することなく、これら符号／復号機能ブロックを、上限数まで利用可能となる。
【００２６】
上述の実施の形態においては、Ｗ−ＣＤＭＡ方式の移動通信システムの基地局装置に用いて好適であるが、他の方式の移動通信システムにも同様に適用可能である。
【図面の簡単な説明】
【００２７】
【図１】本発明の実施の形態を示すブロック図である。
【図２】図１の信号符号／復号部の具体例を示す図である。
【図３】無線回線のデータ伝送レートに応じた符号／復号機能の割当状態の例を示す図である。
【図４】本発明の実施の形態が適用される移動通信システムの概略システム図である。
【図５】図４の基地局装置の構成を示すブロック図である。
【図６】図５の信号処理部の従来の構成を示すブロック図である。
【図７】（Ａ）は図６の受信信号復号部４０４の構成例を示す図、（Ｂ）は図６の送信信号符号部４０５の構成例を示す図である。
【図８】図７の構成において、ユーザデータの転送レートに応じた、符号部および復号部の割当状態の例を示す図である。
【符号の説明】
【００２８】
１  基地局装置
２，３  移動機
４  セル
４０〜４２  信号処理部
６０〜６２  無線送受信部
４０１  有線信号送信部
４０２  有線信号受信部
４０３  制御部
４０６  パス検出部
４１０  切替部
４１１  信号符号／復号部
【図１】
2005318135.tif 000003
【図２】
2005318135.tif 000004
【図３】
2005318135.tif 000005
【図４】
2005318135.tif 000006
【図５】
2005318135.tif 000007
【図６】
2005318135.tif 000008
【図７】
2005318135.tif 000009
【図８】
2005318135.tif 000010